【手続補正書】
【提出日】平成18年1月10日(2006.1.10)
【手続補正１】
【補正対象書類名】明細書
【補正対象項目名】特許請求の範囲
【補正方法】変更
【補正の内容】
【特許請求の範囲】
【請求項１】
次式Ｉ：
【化１】
1999269155.tif 000001
〔式中、
ｐはゼロまたは１を表し、
ｑおよびｒは互いに独立して１ないし６の整数を表し、そして
ｓは１ないし８の数を表し、
Ｘは−Ｏ−を表すか、またはｐが１である場合、Ｘは次式：
【化２】
1999269155.tif 000002
で表される基をも表し、
Ｒw、Ｒx、ＲyおよびＲzは互いに独立して炭素原子数１ないし１８のアルキル基、炭素原子数５ないし１２のシクロアルキル基または炭素原子数１ないし５のヒドロキシアルキル基を表し、
Ｒ1は水素原子；炭素原子数１ないし１８のアルキル基；オキシル基；ＯＨ基；ＣＨ2ＣＮ基；炭素原子数１ないし１８のアルコキシ基；炭素原子数５ないし１２のシクロアルコキシ基；炭素原子数３ないし８のアルケニル基；炭素原子数３ないし８のアルキニル基；炭素原子数７ないし１２のフェニルアルキル基；フェニル環上で炭素原子数１ないし４のアルキル基および炭素原子数１ないし４のアルコキシ基から選択される１、２または３個の基により置換された炭素原子数７ないし１５のフェニルアルキル基；炭素原子数７ない
し１５のフェニルアルコキシ基；フェニル環上で炭素原子数１ないし４のアルキル基および炭素原子数１ないし４のアルコキシ基から選択される１、２または３個の基により置換された炭素原子数７ないし１５のフェニルアルコキシ基を表すか；またはＲ1は炭素原子数１ないし８のアルカノイル基；炭素原子数３ないし５のアルケノイル基；炭素原子数１ないし１８のアルカノイルオキシ基；グリシジル基；または次式：−ＣＨ2ＣＨ（ＯＨ）−Ｇ（式中、Ｇは水素原子、メチル基またはフェニル基を表す）で表される基を表し、
Ｒ2およびＲ6は互いに独立して水素原子、炭素原子数１ないし８のアルキル基、炭素原子数５ないし１２のシクロアルキル基または炭素原子数１ないし４のヒドロキシアルキル基を表し、
Ｒ3、Ｒ4、Ｒ5、Ｒ7、Ｒ8、Ｒ9は互いに独立して水素原子、炭素原子数１ないし８のアルキル基または炭素原子数５ないし１２のシクロアルキル基を表し、  ｓが１である場合、
Ｗは炭素原子数１ないし１８のアルキル基；ＮＨ2基、ＮＨＲ10基、Ｎ（Ｒ10）2基、ニトロ基、ヒドロキシ基および／またはＯＲ’13基により置換された炭素原子数２ないし１８のアルキル基を表すか；またはＷは炭素原子数５ないし１２のシクロアルキル基；ＯＨ基、炭素原子数１ないし４のアルキル基または炭素原子数１ないし４のアルコキシ基により置換された炭素原子数５ないし１２のシクロアルキル基；炭素原子数３ないし６のアルケニル基；炭素原子数３ないし１２のエポキシアルキル基；非置換またはフェニル環上で炭素原子数１ないし４のアルキル基および炭素原子数１ないし４のアルコキシ基から選択される基により置換された炭素原子数７ないし１５のフェニルアルキル基を表すか；またはＷは次式ＩＩａ−ＩＩｅ：
【化３】
1999269155.tif 000003
で表される基の一つを表すか、またはＲ1が基−ＣＨ2ＣＨ（ＯＨ）−Ｇである場合、Ｗは水素原子を表してもよく、
Ｒ10は水素原子、炭素原子数１ないし８のアルキル基、炭素原子数５ないし１２のシクロアルキル基、非置換またはフェニル環上で炭素原子数１ないし４のアルキル基および炭素原子数１ないし４のアルコキシ基から選択される基により置換された炭素原子数７ないし１５のフェニルアルキル基を表し、
Ｒ11は水素原子；炭素原子数１ないし１７のアルキル基；ＯＨ基、炭素原子数１ないし１２のアルコキシ基および／または残基ベンゾフェノニル基またはベンゾフェノニルオキシ基により置換された炭素原子数１ないし１２のアルキル基（上記ベンゾフェノン部分の一方または両方のフェニル環は置換されていないか、またはＯＨ基、ハロゲン原子、炭素原子数１ないし４のアルキル基および／または炭素原子数１ないし１８のアルコキシ基により置換されている）を表すか；またはＲ11は非置換または炭素原子数１ないし４のアルキル基により置換された炭素原子数５ないし１２のシクロアルキル基；炭素原子数２ないし１７のアルケニル基；フェニル基；ＮＨ2基、ＮＨＲ10基、Ｎ（Ｒ10）2基、または炭素原子数１ないし４のアルキル基もしくは炭素原子数１ないし４のアルコキシ基により置換されたフェニル基；炭素原子数７ないし１５のフェニルアルキル基；炭素原子数８ないし１５のフェニルアルケニル基；またはフェニル環上で炭素原子数１ないし４のアルキル基および／または炭素原子数１ないし４のアルコキシ基により置換された炭素原子数７ない
し１５のフェニルアルキル基を表し、
Ｒ12は直接結合または炭素原子数１ないし１２のアルキレン基；フェニレン基；シクロヘキシレン基を表し、
Ｒ13は炭素原子数１ないし１８のアルキル基；ＮＨ2基、ＮＨＲ10基、Ｎ（Ｒ10）2基、ニトロ基、ヒドロキシ基および／またはＯＲ13基により置換された炭素原子数２ないし１８のアルキル基；炭素原子数３ないし１８のアルケニル基；炭素原子数５ないし１２のシクロアルキル基；炭素原子数１ないし４のアルキル基により置換された、および／または−Ｏ−により中断された炭素原子数５ないし１２のシクロアルキル基を表し；そしてＷが基ＩＩｄである場合、そしてＷが基ＩＩｂであり、Ｒ12が直接結合ではない場合、Ｒ13は水素原子または周期律表ＩａまたはＩＩａ族の１価のカチオンをも表し得、
Ｒ’13は炭素原子数１ないし１８のアルキル基；ＮＨ2基、ＮＨＲ10基、Ｎ（Ｒ10）2基、ニトロ基、ヒドロキシ基および／またはＯＲ13基により置換された炭素原子数２ないし１８のアルキル基；炭素原子数３ないし１８のアルケニル基；炭素原子数５ないし１２のシクロアルキル基；炭素原子数１ないし４のアルキル基により置換された、および／または−Ｏ−により中断された炭素原子数５ないし１２のシクロアルキル基を表し、
Ｒ14は炭素原子数１ないし１８のアルキル基；ＮＨ2基、ＮＨＲ10基、Ｎ（Ｒ10）2基、ヒドロキシ基および／またはＯＲ13基により置換された炭素原子数２ないし１８のアルキル基；非置換または炭素原子数１ないし４のアルキル基により置換された、および／または−Ｏ−により中断された炭素原子数５ないし１２のシクロアルキル基を表すか、または非置換またはフェニル環上で炭素原子数１ないし４のアルキル基および炭素原子数１ないし４のアルコキシ基から選択される基により置換された炭素原子数７ないし１５のフェニルアルキル基を表し、
Ｒ15は直接結合；炭素原子数１ないし２０のアルキレン基；炭素原子数２ないし１０のアルケニレン基；炭素原子数６ないし１２のアリール基により、または炭素原子数１ないし８のアルキル基、炭素原子数１ないし８のアルコキシ基、ジ（炭素原子数１ないし４のアルキル）アミノ基、ニトロ基、チエニル基、フェノキシフェニル基、フェニルチオフェニル基、ベンゾ〔ｂ〕チオフェン−２−イル基、ベンゾフラン−２−イル基、９Ｈ−フルオレニル基、ビフェニリル基、１０Ｈ−フェノチアジニル基により置換された炭素原子数６ないし１２のアリール基により置換された炭素原子数２ないし８のアルケニレン基；炭素原子数２ないし４のオキサアルキレン基；炭素原子数５ないし７のシクロアルキレン基；炭素原子数５ないし７のシクロアルケニレン基またはフェニレン基を表し、
ｓが２である場合、
Ｗは炭素原子数２ないし１２のアルキレン基；ＯＨ基により置換された、および／または酸素原子または硫黄原子または−ＮＲ10−により中断された炭素原子数４ないし１２のアルキレン基；炭素原子数４ないし１２のアルケニレン基；ＯＨ基により置換された、および／またはＯにより中断された炭素原子数６ないし１２のアルケニレン基；炭素原子数５ないし７のシクロアルキレン基；炭素原子数５ないし７のシクロアルキレン−ジ（炭素原子数１ないし４のアルキレン）基；炭素原子数１ないし４のアルキレン−ジ（炭素原子数５ないし７のシクロアルキレン）基；フェニレンジ（炭素原子数１ないし４のアルキレン）基；または次式ＩＩＩａ−ＩＩＩｈ：
【化４】
1999269155.tif 000004
（式中、Ｈａｌはハロゲン原子または炭素原子数１ないし４のアルコキシ基を表し、
Ｒ18は直接結合；炭素原子数１ないし１２のアルキレン基；酸素原子、硫黄原子および／または−ＮＲ10−により中断された炭素原子数２ないし１２のアルキレン基；炭素原子数５ないし７のシクロアルキレン基；炭素原子数５ないし７のシクロアルケニレン基；またはフェニレン基；炭素原子数２ないし８のアルケニレン基；炭素原子数４ないし１２のアリール基により、または炭素原子数１ないし８のアルキル基、炭素原子数１ないし８のアルコキシ基、ジ（炭素原子数１ないし４のアルキル）アミノ基、ニトロ基により置換された炭素原子数４ないし１２のアリール基により置換された炭素原子数２ないし８のアルケニレン基；チエニル基、フェノキシフェニル基、フェニルチオフェニル基、ベンゾ〔ｂ〕チオフェン−２−イル基、ベンゾフラン−２−イル基、９Ｈ−フルオレニル基、ビフェニリル基、１０Ｈ−フェノチアジニル基、チオフラニル基により置換された炭素原子数２ないし８のアルケニレン基を表し、
Ｒ19は炭素原子数２ないし１２のアルキレン基；１、２または３個の酸素原子により中断された炭素原子数４ないし１２のアルキレン基；炭素原子数５ないし７のシクロアルキレン基；炭素原子数５ないし７のシクロアルキレンジ（炭素原子数１ないし４のアルキレン）基；または炭素原子数１ないし４のアルキリデンジ（炭素原子数５ないし７のシクロアルキレン）基を表し、
Ｒ20は炭素原子数２ないし１２のアルキレン基；炭素原子数５ないし７のシクロアルキレン基；フェニレン基を表し、
Ｒ’20は炭素原子数２ないし１２のアルキレン基；炭素原子数５ないし７のシクロアルキレン基；フェニレン基を表し、そしてｉが１であるならば、Ｒ’20はさらにメチレン基を表し、
ｉはゼロまたは１を表し、
ｔはゼロまたは１ないし７の整数を表し、
ｖおよびｚは互いに独立して１ないし４の整数を表す）で表される基の一つを表し、
ｓが３である場合、
Ｗは炭素原子数４ないし１８の脂肪族トリアシル基；炭素原子数６ないし１８の環状脂肪族トリアシル基または炭素原子数９ないし１８の芳香族トリアシル基；１，３，５−トリアジン−２，４，６−トリイル基；または次式ＩＶａ−ＩＶｂ：
【化５】
1999269155.tif 000005
（式中、Ｒ22、Ｒ23、Ｒ24は互いに独立して炭素原子数１ないし７のアルキレン基を表す）で表される基を表し、
ｓが４である場合、
Ｗは炭素原子数５ないし１８の脂肪族テトラアシル基；炭素原子数８ないし１８の環状脂肪族テトラアシル基または炭素原子数１０ないし１８の芳香族テトラアシル基または次式Ｖａ：
Ｚ1−ＮＲ10−Ｒ20−ＮＲ10−Ｚ2  （Ｖａ）
（式中、Ｚ1およびＺ2は互いに独立して次式Ｖｂ、ＶｃまたはＶｄ：
【化６】
1999269155.tif 000006
で表される基を表し、そして該式Ｖｂ、ＶｃまたはＶｄで表される基はトリアジン環からの結合を介して式Ｖａで表される基の窒素原子に結合される）で表される４価の残基を表し、
ｓが５である場合、Ｗは炭素原子数７ないし１８の脂肪族ペンタアシル基；炭素原子数１０ないし１８の環状脂肪族ペンタアシル基または炭素原子数１１ないし１８の芳香族ペンタアシル基を表し、
ｓが６である場合、Ｗは炭素原子数８ないし１８の脂肪族ヘキサアシル基；炭素原子数１２ないし１８の環状脂肪族または芳香族ヘキサアシル基または次式ＶＩａ：
Ｚ1−ＮＲ10−Ｒ20−Ｎ（Ｚ2）−Ｒ20−ＮＲ10−Ｚ3  （ＶＩａ）
（式中、Ｚ1、Ｚ2およびＺ3は互いに独立して、トリアジン環からの結合を介して式ＶＩａで表される基の窒素原子に結合される式Ｖｂ、ＶｃまたはＶｄで表される基を表す）で表される６価の残基を表し、
ｓが７である場合、Ｗは炭素原子数１２ないし１８の脂肪族、環状脂肪族または芳香族ヘプタアシル基を表し、
ｓが８である場合、Ｗは炭素原子数１２ないし１８の脂肪族、環状脂肪族または芳香族オクタアシル基または次式ＶＩＩａ：
Ｚ1−ＮＲ10−Ｒ20−Ｎ（Ｚ2）−Ｒ20−Ｎ（Ｚ3）−Ｒ20−ＮＲ10−Ｚ4
（ＶＩＩａ）
（式中、Ｚ1、Ｚ2、Ｚ3およびＺ4は互いに独立して、トリアジン環からの結合を介して式ＶＩＩａで表される基の窒素原子に結合される式Ｖｂ、ＶｃまたはＶｄで表される基を表す）で表される残基を表し、そして
Ｘ’は−Ｏ−または−Ｎ（Ｒ10）−を表す〕で表される化合物。
【請求項２】
テトラメチルピペラジノン側鎖を含み、かつ、次式Ｌ：
【化７】
1999269155.tif 000007
で表される反復単位１−１００モル％と、次式ＬＩ：
−（−ＣＨ2−Ｃ（Ｒ27）（Ｒ28）−Ａ1−）−  （ＬＩ）
で表される反復単位０−９９モル％とからなるポリマー
〔上記式中、
ＴＭＰＺは次式：
【化８】
1999269155.tif 000008
｛式中、Ｒ1はＨ；炭素原子数１ないし４のアルキル基；炭素原子数３ないし１２のアルコキシ基；シクロヘキシルオキシ基；アセチル基を表し、
Ｒ2、Ｒ3、Ｒ4およびＲ5は互いに独立してＨまたはメチル基を表し、
Ｗは炭素原子数１ないし１８のアルキル基；シクロヘキシル基；または次式：−ＣＯ−Ｒ11（式中、Ｒ11は炭素原子数１ないし１７のアルキル基；シクロヘキシル基；フェニル基を表す）で表される基を表し、そして
ｑは１ないし６の数を表す｝で表されるテトラメチルピペラジノン側鎖を表し、  Ａ1は酸素原子または直接結合を表し、
Ａ1が酸素原子である場合、
Ａ2はＣＨ2を表し、
Ｒ26およびＲ27は各々Ｈを表し、そして
Ｒ28は炭素原子数１ないし１８のアルキル基、炭素原子数１ないし１８のアルコキシ基、炭素原子数１ないし１２のアルコキシメチル基；炭素原子数５ないし９のシクロアルキル基、シクロヘキシルオキシ基、フェニル基、炭素原子数７ないし９のフェニルアルキル
基、または水素原子を表し、
Ａ1が直接結合である場合、
Ａ2はＣＯを表し、
Ｒ26およびＲ27は互いに独立してＨまたはメチル基を表し、そして
Ｒ28はＣＯＯＨ、ＣＯＮＨ2または次式：ＣＯＯＲ29（式中、Ｒ29は炭素原子数１ないし１２のアルキル基または炭素原子数１ないし８のヒドロキシアルキル基を表す）で表される基を表す〕。
【請求項３】
次式ＬＩＶ：
【化９】
1999269155.tif 000009
（式中、
Ｒ2、Ｒ3、Ｒ4およびＲ5は互いに独立してＨまたはメチル基を表し、
ＧはＨ、メチル基またはフェニル基を表し、
ｑは１ないし６の数を表し、
Ａ3は直接結合；炭素原子数１ないし１２のアルキレン基；Ｓ、ＮＲ10（式中、Ｒ10は請求項１において定義されたものと同じ意味を表す）またはＯにより中断された炭素原子数２ないし１２のアルキレン基；シクロヘキシレン基またはフェニレン基を表す）で表される反復単位を含むポリマー。
【請求項４】
Ａ）光、酸素および／または熱による損傷を受けやすい有機材料、および
Ｂ）安定剤として請求項１記載の式Ｉで表される化合物
を含有する組成物。
【請求項５】
有機材料に少なくとも１種の請求項１記載の式Ｉで表される化合物を添加するか、または施用することからなる該有機材料を光、酸素および／または熱による損傷に対して安定化する方法。
【請求項６】
以下の化合物：
１−（２−ヒドロキシエチル）−３，３，５，５−テトラメチル−ピペラジン−２−オン、
１−（２−ヒドロキシエチル）−３，３，４，５，５−ペンタメチル−ピペラジン−２−オン、
１−（２−ヒドロキシプロピル）−３，３，５，５−テトラメチル−ピペラジン−２−オン、
１−（２−ヒドロキシプロピル）−３，３，４，５，５−ペンタメチル−ピペラジン−２−オン、または次式：
【化１０】
1999269155.tif 000010
で表される化合物。
【請求項７】
ヒドロキシ基またはエポキシ基またはカルボキシ基またはエチレン性二重結合を有する請求項１記載の式Ｉで表される化合物、または請求項６記載のヒドロキシ官能性化合物を、ヒドロキシ基またはエポキシ基またはエチレン性二重結合との反応に適当である官能基を含有する有機ポリマーと反応させることからなる官能性有機ポリマーを改質する方法。